(57)【要約】【課題】  ベルト等を取り外すことなく、椅子本体を農作業者から取り外すことができ、着座位置や着座高さを容易に変更することができる農作業用椅子を提供する。【解決手段】農作業用椅子１は、農作業者Ｐの身体に固定される固定部３と、農作業者Ｐが腰掛可能な椅子本体２と、前記固定部３と前記椅子本体２とにそれぞれ設けられ、前記固定部３及び前記椅子本体２を互いに係着及び分離可能な着脱手段４と、を備えている。【選択図】図６
2017170135.tif 000002
【特許請求の範囲】
【請求項１】
農作業者の身体に固定される固定部と、
農作業者が腰掛可能な椅子本体と、
前記固定部と前記椅子本体とにそれぞれ設けられ、前記固定部及び前記椅子本体を互いに係着及び分離可能な着脱手段と、を備えることを特徴とする農作業用椅子。
【請求項２】
前記固定部は、農作業者の臀部を覆うように配置され前記着脱手段が設けられる臀部覆いと、前記臀部覆いから延びて腰周りに締め付けられる腰部ベルトと、前記臀部覆いから延びて太もも周りに締め付けられる大腿ベルトと、を備えることを特徴とする請求項１に記載の農作業用椅子。
【請求項３】
前記着脱手段は面ファスナー、スナップボタン、又はフック状の金具であることを特徴とする請求項１又は請求項２に記載の農作業用椅子。
【請求項４】
前記椅子本体は、水平な長辺方向の長さが短辺方向の長さの１．５倍以上の略直方体であることを特徴とする請求項１から請求項３のいずれかに記載の農作業用椅子。
【請求項５】
前記椅子本体は、上面に前記着脱手段が設けられる座面部と、前記座面部の下部に形成され当該座面部を支える脚部とを備え、
前記脚部は、前記座面部よりも左右方向の幅が短く形成されることを特徴とする請求項１から請求項３のいずれかに記載の農作業用椅子。
【請求項６】
前記椅子本体は、上面に前記着脱手段が設けられる座面部と、前記座面部の下部に形成され当該座面部を支える脚部とを備え、
前記脚部は、左右方向に間隔を開けて少なくとも２以上並べて形成されていることを特徴とする請求項１から請求項３のいずれかに記載の農作業用椅子。
【請求項７】
前記椅子本体は、農作業者が腰掛けたときに前側が後側よりも幅狭に形成されることを特徴とする請求項１から請求項３のいずれかに記載の農作業用椅子。
【請求項８】
前記椅子本体は、複数の異なる高さの椅子本体から選択されるものであることを特徴とする請求項１から請求項７のいずれかに記載の農作業用椅子。
【請求項９】
前記椅子本体は、高さ方向に積み重ねて固定可能であるとともに分離可能な複数のブロックを有することを特徴とする請求項１から請求項４のいずれかに記載の農作業用椅子。
【請求項１０】
前記椅子本体は、その下面の農作業者が腰掛けたときに左及び右となる方向の端縁に、それぞれ直線又は曲線の面取り部が設けられることを特徴とする請求項１から請求項４のいずれかに記載の農作業用椅子。
【請求項１１】
前記椅子本体は、その下面の農作業者が腰掛けたときに前及び後となる方向の端縁に、それぞれ直線又は曲線の面取り部が設けられることを特徴とする請求項１から請求項４のいずれかに記載の農作業用椅子。
【請求項１２】
前記椅子本体は、水平面に載置したときに、上面が前方に向けて下り勾配の傾斜面となることを特徴とする請求項１、請求項２、請求項３、請求項７のいずれかに記載の農作業用椅子。
【発明の詳細な説明】
【技術分野】
【０００１】
本発明は、農作業の際に腰掛ける農作業用椅子に関し、農作業者の身体に固定される農作業用椅子に関する。
【背景技術】
【０００２】
従来より、農作業者がしゃがみ込んだ姿勢で農作業を行う際や農作業の合間の休憩の際に腰掛けることができる農作業用椅子は種々提案されている。
【０００３】
そして、農作業用椅子の中には農作業者の臀部に固定されており、農作業者の移動に伴って当該農作業用椅子も移動することで、農作業におけるポジション移動が簡単に行えるものも知られている（例えば特許文献１から特許文献３）。これらの農作業用椅子は、作業者が着座する椅子本体に取り付けられている紐またはベルトを農作業者の身体に巻きつけて固定している。
【先行技術文献】
【特許文献】
【０００４】
【特許文献１】特開２００１−２５２１５２号公報
【特許文献２】実用新案登録第３０７６７９８号公報
【特許文献３】実用新案登録第３１５９９８５号公報
【発明の概要】
【発明が解決しようとする課題】
【０００５】
ところで、上述のような農作業用椅子は、椅子が必要ない作業を行う場合などのように、農作業者の身体から椅子本体を取り外すときには、紐又はベルトごと農作業者から取り外す必要があり、取り付け及び取り外しが煩わしい問題がある。また、農作業の姿勢によっては、着座位置を調整したい場合もあるが、紐又はベルトで固定されているだけであるので、着座位置を調整することができない。さらに椅子本体の高さが合わないなどの理由で椅子本体を交換したい場合にも紐又はベルトを取り外して交換する必要がある。
【０００６】
そこで、本発明は、ベルト等を取り外すことなく、椅子本体を農作業者から取り外すことができ、着座位置や着座高さを容易に変更することができる農作業用椅子を提供することを目的とする。
【課題を解決するための手段】
【０００７】
本発明の農作業用椅子は、農作業者の身体に固定される固定部と、農作業者が腰掛可能な椅子本体と、前記固定部と前記椅子本体とにそれぞれ設けられ、前記固定部及び前記椅子本体を互いに係着及び分離可能な着脱手段と、を備えている。
【０００８】
また、本発明の農作業用椅子は、前記固定部は、農作業者の臀部を覆うように配置され前記着脱手段が設けられる臀部覆いと、前記臀部覆いから延びて腰周りに締め付けられる腰部ベルトと、前記臀部覆いから延びて太もも周りに締め付けられる大腿ベルトと、を備えている。
【０００９】
さらに、本発明の農作業用椅子は、前記着脱手段は面ファスナー、スナップボタン、又はフック状の金具である。
【００１０】
また、本発明の農作業用椅子は、前記椅子本体が、水平な長辺方向の長さが短辺方向の長さの１．５倍以上の略直方体である。
【００１１】
また、本発明の農作業用椅子は、前記椅子本体が、上面に前記着脱手段が設けられる座面部と、前記座面部の下部に形成され当該座面部を支える脚部とを備え、前記脚部は、前記座面部よりも左右方向の幅が短く形成されている。
【００１２】
なお、本発明における「左右方向」は農作業者が農作業用椅子に腰掛けた場合に左右となる方向をいう。
【００１３】
また、本発明の農作業用椅子は、前記椅子本体が、上面に前記着脱手段が設けられる座面部と、前記座面部の下部に形成され当該座面部を支える脚部とを備え、前記脚部は、左右方向に間隔を開けて少なくとも２以上並べて形成されている。
【００１４】
本発明の農作業用椅子は、前記椅子本体は、農作業者が腰掛けたときに前側が後側よりも幅狭に形成される。なお、農作業用椅子の前記椅子本体は、側面にアールをつけた形状、即ち、後側から前側に向かって側面が窪むように湾曲していてもよい。
【００１５】
本発明の農作業用椅子は、前記椅子本体が、複数の異なる高さの椅子本体から選択されるものである。
【００１６】
本発明の農作業用椅子は、前記椅子本体が、高さ方向に積み重ねて固定可能であるとともに分離可能な複数のブロックを有する。
【００１７】
本発明の農作業用椅子は、前記椅子本体が、その下面の農作業者が腰掛けたときに左及び右となる方向の端縁にそれぞれ直線又は曲線の面取り部が設けられる。
【００１８】
本発明の農作業用椅子は、前記椅子本体が、その下面の農作業者が腰掛けたときに前及び後となる方向の端縁に、それぞれ直線又は曲線の面取り部が設けられる。
【００１９】
本発明の農作業用椅子は、前記椅子本体は、水平面に載置したときに、上面が前方に向けて下り勾配の傾斜面となる。
【発明の効果】
【００２０】
本発明の農作業用椅子によると、着脱手段により、農作業者の身体に固定される固定部及び農作業者が腰掛可能な椅子本体が互いに係着及び分離可能となっているので、腰掛ける必要がない場合にきわめて簡単に椅子本体のみを取り外すことができる。また、作業姿勢等の要因によって、深く腰掛けたい場合や浅く腰掛けたい場合などのように椅子本体の腰掛ける位置を調整したい場合にもきわめて簡単に腰掛ける位置を調整することができる。
【００２１】
また、本発明の農作業用椅子によると、固定部は、臀部覆いを腰部ベルト及び太腿ベルトで固定しているので、腰部のみ又は太腿のみベルトで固定する場合に比べて、ズレが生じることなく、着脱手段に椅子本体を固定することができる。
【００２２】
また、本発明の農作業用椅子によると、着脱手段が面ファスナー、スナップボタン、又はフック状の金具であるので、簡単に着脱することができる。
【００２３】
さらに、本発明の農作業用椅子によると、椅子本体が、水平な長辺方向の長さが短辺方向の長さの１．５倍以上の略直方体であるので、臀部覆いに設けられている着脱手段に椅子本体を縦向きにも横向きにも係着することができる。すなわち、椅子本体の長手方向が農作業者の左右方向又は前後方向のいずれを向くようにも係着することができる。したがって、農作業者は、椅子本体の向きを変えることで、両方の膝を立てた状態、片膝を立てた状態、両膝をついた状態等のような異なる姿勢をとることができ、例えば、作業によって姿勢を変えたい場合や長時間同じ姿勢をとりたくない場合などにも簡単に姿勢を変えることができる。
【００２４】
さらに、本発明の農作業用椅子によると、前記椅子本体は、上面に前記着脱手段が設けられる座面部と、前記座面部の下部に形成され当該座面部を支える脚部とを備え、前記脚部は、前記座面部よりも左右方向の幅が短く形成されているので、片膝を立てた状態や両膝をついた状態であっても、農作業者の膝をついて寝かせた脛部を座面部の下で脚部の隣に配置でき、両膝を立ててしゃがんだ状態、片膝を立てた状態、両膝をついた状態等のように異なる姿勢を楽にとることができ、例えば、作業によって姿勢を変えたい場合や長時間同じ姿勢をとりたくない場合などにも簡単に姿勢を変えることができる。
【００２５】
また、本発明の農作業用椅子によると、前記椅子本体は、上面に前記着脱手段が設けられる座面部と、前記座面部の下部に形成され当該座面部を支える脚部とを備え、前記脚部は、左右方向に間隔を開けて少なくとも２以上並べて形成されているので、片膝を立てた状態や両膝をついた状態であっても、農作業者の膝をついて寝かせた脛部を座面部の下で脚部の間に配置でき、両膝を立ててしゃがんだ状態、片膝を立てた状態、両膝をついた状態等のように異なる姿勢を楽にとることができ、例えば、作業によって姿勢を変えたい場合や長時間同じ姿勢をとりたくない場合などにも簡単に姿勢を変えることができる。
【００２６】
本発明の農作業用椅子によると、椅子本体が、農作業者が腰掛けたときに前側が後側よりも幅狭に形成されるので、農作業者が腰掛けたときに農作業者の臀部は幅広の後側に腰掛けることができるとともに、前側が幅狭となることで太腿に当たることがなく、太腿が痛くなることなく比較的長時間座ったままで作業をすることができる。また、農作業者が立って移動する際にも椅子本体が太腿の動きを邪魔することが無く、スムーズに移動することができる。また、前側が幅狭となることで、脛に当らない形で脚の間に椅子本体を挟みこむことができ、椅子本体に座った際に安定することができる。
【００２７】
さらに、本発明の農作業用椅子によると、椅子本体が、複数の異なる高さの椅子本体から選択されるので椅子本体の高さを必要に応じて簡単に変更することができる。
【００２８】
さらにまた、本発明の農作業用椅子によると、椅子本体が、高さ方向に積み重ねて固定可能であるとともに分離可能な複数のブロックから成っているので、当該ブロックの数を変更することで、簡単に椅子本体の高さを変更することができる。
【００２９】
また、本発明の農作業用椅子によると、椅子本体は、その下面の農作業者が腰掛けたときに左及び右となる方向の端縁にそれぞれ直線又は曲線の面取り部が設けられているので、例えば地面にマルチング資材が敷設されているような場合に、農作業者が左右方向に移動する際に当該マルチング資材に引っ掛からずにスムーズに移動することができるとともに、当該マルチング資材を破ることを抑制できる。
【００３０】
さらに、本発明の農作業用椅子によると、椅子本体が、その下面の農作業者が腰掛けたときに前後となる方向の端縁に、面取り部が設けられているので農作業者が簡単に前傾姿勢をとることができ農作業をスムーズに行うことができる。そして、例えば地面にマルチング資材が敷設されているような場合に、農作業者が前後方向に移動する際に当該マルチング資材に引っ掛からずにスムーズに移動することができるとともに、当該マルチング資材を破ることを抑制できる。
【００３１】
本発明の農作業用椅子によると、椅子本体は、水平面に載置したときに、上面が前方に向けて下り勾配の傾斜面となるので、農作業者が腰掛けたときに前傾姿勢となり、地面に向かって作業する際に楽な姿勢で作業をすることができ、農作業者の体重が椅子本体に乗るので膝及び足首への負担を軽減することができる。また、椅子本体への腰掛ける位置を前後に調整することで多少の高さ調整を簡単に行うことができる。また、図示しないが例えば高さが１ｍ程度のトンネルの中で作業する場合のように四つん這いのような姿勢で作業する際にも椅子本体に体重をあずけることができ身体を安定させることができる。
【図面の簡単な説明】
【００３２】
【図１】第一の実施形態の固定部の構成を説明する図。
【図２】固定部を農作業者の身体に固定した状態を説明する図。
【図３】第一の実施形態の椅子本体を説明する斜視図。
【図４】（Ａ）は椅子本体の正面図、（Ｂ）は椅子本体の側面図。
【図５】農作業者の身体に固定した固定部に着脱手段によって椅子本体を係着した状態を示す図。
【図６】椅子本体に腰掛けて農作業者が農作業をする状態を示す図。
【図７】農作業者が椅子本体に腰掛けており、前傾姿勢となっている状態を説明する図。
【図８】椅子本体の長手方向が農作業者が立ったときに上下方向となるように、椅子本体を固定した状態を説明する図。
【図９】図８の状態で農作業者が膝をついてしゃがんだ状態を説明する図。
【図１０】複数の高さの異なる椅子本体を説明する図。
【図１１】高さ方向に積み重ねて固定可能であるとともに分離可能な複数のブロックから成る椅子本体を説明する図。
【図１２】図１１の椅子本体の積み重ねるブロックの数を増減させた状態を説明する図。
【図１３】（Ａ）は、椅子本体が外袋と外袋内に収納される複数のブロックからなる場合を説明する図、（Ｂ）は、図１３（Ａ）の椅子本体のブロックの数を減らした状態を説明する図、（Ｃ）は、アリ継ぎ部によって上下のブロックが接続される椅子本体を説明する図。
【図１４】（Ａ）は椅子本体が座面部及び脚部から形成されており、脚部が座面部よりも幅が短く形成された例を示す正面図、（Ｂ）は（Ａ）の側面図、（Ｃ）は（Ａ）の脚部が間隔を開けて２つに分けられた例を示す正面図、（Ｄ）は（Ｃ）の側面図、（Ｅ）は椅子本体が座面部及び脚部から形成されており、脚部が左右方向に間隔を開けて２つ形成された例を示す正面図、（Ｆ）は（Ｅ）の側面図。
【図１５】図１４（Ａ）の椅子本体に農作業者が両膝を立てて腰掛けた状態を示す図。
【図１６】（Ａ）は図１４（Ａ）の椅子本体に農作業者が片膝を立てて腰掛けた状態を示す図、（Ｂ）は図１４（Ａ）の椅子本体に農作業者が両膝をついて腰掛けた状態を示す図。
【図１７】図１４（Ｅ）の椅子本体に農作業者が片膝を立てて腰掛けた状態を示す図。
【図１８】農作業者が腰掛けたときに前側が後側よりも幅狭に形成され、且つ、水平面に載置したときに、上面が前方に向けて下り勾配の傾斜面となる椅子本体の変形例を示す図。
【図１９】農作業者の身体に固定した固定部に着脱手段によって図１８の椅子本体を係着した状態を示す図。
【図２０】図１８の椅子本体に腰掛けた状態を示す図。
【図２１】農作業者が腰掛けたときに前側が後側よりも幅狭に形成され、且つ、水平面に載置したときに、上面が前方に向けて下り勾配の傾斜面となる椅子本体の変形例であって、上面の一部が窪んで形成された椅子本体を示す斜視図及び側面図。
【発明を実施するための形態】
【００３３】
以下、農作業用椅子１の各実施形態について説明する。農作業用椅子１は、地面近くで農作業する場合や一時的に休憩する場合などに腰掛けることができるとともに、椅子本体２が農作業者Ｐの身体に固定されて、農作業者Ｐが移動する際に、一緒に移動することができるものである。農作業用椅子１は、農作業者Ｐの身体に固定される固定部３と、農作業者Ｐが腰掛可能な椅子本体２と、固定部３と椅子本体２とにそれぞれ設けられ、固定部３及び椅子本体２を互いに係着及び分離可能な着脱手段４と、を備えた構成である。
【００３４】
以下、本発明に係る農作業用椅子１の第一の実施形態について図１から図１３を参照しつつ説明する。まず、図１及び図２を参照しつつ固定部３の外観構成について説明する。固定部３は、例えばポリエステルなどの樹脂の布製で、農作業者Ｐの臀部を覆うように設けられる臀部覆い５と、臀部覆い５の上端から両側方に延びる帯状であり、農作業者Ｐの腰周りに締め付けられる腰部ベルト６と、臀部覆い５の下端から下方及び側方にそれぞれ延びて設けられる左右一対の太腿ベルト７と、を備えている。なお、固定部３の材料は樹脂に限定されるものではない。なお、臀部覆い５は、伸縮性を有する素材とすることが好ましい。伸縮性を有する素材とすれば、農作業者Ｐの臀部に接触する面積を広くすることができ、その結果、臀部との間の摩擦力を増加させることができ、より安定して農作業用椅子１の椅子本体２を固定することができる。また、臀部覆い５は、例えばメッシュなどの通気性を有する素材で構成してもよい。通気性を有する素材とすれば、農作業者Ｐの臀部が蒸れることを防ぐことができ、快適に農作業用椅子１を用いることができる。また、臀部覆い５は、保温性に優れた素材、防水性に優れた素材などで構成してもよい。寒い場所での作業や水を使用する作業である場合には、保温性や防水性に優れた素材が好適である。
【００３５】
また、臀部覆い５には、農作業者Ｐに固定したときに外側となる面に、着脱手段４としての面ファスナーが設けられている。なお、着脱手段４は、椅子本体２の上面にも設けられており、臀部覆い５の着脱手段４と椅子本体２の着脱手段４とが互いに接合することで、臀部覆い５に椅子本体２が係着される。ここで着脱手段４は、面ファスナーに限定されるものではない。固定部３と椅子本体２とにそれぞれ設けられて、互いに当接して係着することができ、且つ、椅子本体２の重さが接合部８に加わっても当該椅子本体２が脱落することがない程度に係着するものであればよい。例えば着脱手段４は、面ファスナーに変えて、スナップボタンを設けてもよく、また、例えば小鉤のようなフック状の金具と当該フック状の金具を係止するループ状の金具とであってもよい。
【００３６】
固定部３は、腰部ベルト６の先端及び太腿ベルト７の先端にそれぞれ面ファスナーからなる接合部８が設けられており、図２に示すように、臀部覆い５が臀部を覆うように配置して腰部ベルト６を腰周りに締め付けて固定するとともに、太腿ベルト７を太腿周りに締め付けて固定することで固定部３を農作業者Ｐの身体に固定する。
【００３７】
椅子本体２は、例えば発泡ポリエチレン製で、図３及び図４に示すように、水平な長辺方向の長さが短辺方向の長さの１．５倍以上の略直方体に形成されている。また高さ方向の長さは例えば短辺方向の長さと略等しく形成されている。なお、椅子本体２の寸法は上述のものに限定されるものではなく、農作業中の座りやすさ、安定感、移動中の邪魔になりにくさなどの要素を考慮して選択することができる。なお、椅子本体２の材料は発泡ポリエチレンに限られずそれ以外の樹脂やその他の材料であっても良い。
【００３８】
椅子本体２の上面には窪み９が設けられており、この窪み９の底となる部分に着脱手段４としての面ファスナーが貼り付けられている。なお、本発明における農作業用椅子１の椅子本体２は、上面に窪み９が設けられる形態に限定されるものではなく、上面が窪みのない平面的な形状のものであってもよい。前述のとおり、着脱手段４は、固定部３の臀部覆い５にも設けられており、この着脱手段４と椅子本体２の着脱手段４とが接合することで、臀部覆い５に椅子本体２が係着される。椅子本体２はその長辺方向が農作業者Ｐの左右方向となるように臀部覆い５に固定する。なお、着脱手段４は、面ファスナーに限定されるものではない点については上述の通りであるので説明を省略する。
【００３９】
図４（Ａ）及び（Ｂ）に示すように、椅子本体２の下面の農作業者Ｐが腰掛けたときに左及び右となる方向の端縁及び前後方向の端縁には、それぞれ曲線状に切り欠かれた面取り部１０が設けられている。この面取り部１０によって、例えば地面にマルチング資材が敷設されているような場合に、農作業者Ｐが前後左右に移動する際に、椅子本体２の下面が地面に擦れても、当該マルチング資材に引っ掛かることなくスムーズに移動することができ、また、当該マルチング資材が破損することを抑制することができる。なお、面取り部１０は曲線であるものに限られず直線的に切り欠かれたものであってもよい。
【００４０】
また、図４（Ｂ）に示すように、椅子本体２の下面の農作業者Ｐが腰掛けたときに前となる方向及び後ろとなる方向の端縁に面取り部１０が設けられることで、例えば図７に示しているように、農作業者Ｐが簡単に前傾姿勢をとることができ、農作業をスムーズに行うことができる。
【００４１】
以上のように形成されている農作業用椅子１を用いて、農作業を行うときには、まず、固定部３を農作業者Ｐに固定する。具体的には、図２に示すように、臀部覆い５が農作業者Ｐの臀部に位置するように配置し、腰部ベルト６を農作業者Ｐの腰周りに締め付けるとともに、太腿ベルト７を農作業者Ｐの太腿周りに締め付けて固定する。
【００４２】
そして、図５に示すように、臀部覆い５及び椅子本体２の上面に設けられている着脱手段４を互いに接合させて、椅子本体２を固定部３に係着する。椅子本体２はその長手方向が農作業者Ｐの左右方向となるように配置され係着される。そして、農作業者Ｐは、図６に示すように、椅子本体２が臀部に固定されている状態で、そのまましゃがんで、椅子本体２の下面を地面に接触させて、椅子本体２に腰掛ける。このように、農作業者Ｐは、腰掛けた状態で農作業をおこなうことができ、または、一時的に休息をとることもできる。
【００４３】
なお、上述の例では、椅子本体２の長手方向が農作業者Ｐの左右方向となるように臀部覆い５に椅子本体２を固定しているが、図８に示すように、椅子本体２の長手方向が農作業者Ｐが立ったときに上下方向となるように、そして農作業者Ｐがしゃがんだときに前後方向となるように臀部覆い５に椅子本体２を固定してもよい。この場合、着脱手段４は少なくとも、椅子本体２の長手方向が農作業者Ｐの左右方向となるように配置した場合でも、椅子本体２の長手方向が農作業者Ｐがしゃがんだときの前後方向となるように配置した場合でも係着することができるように構成されていることが好ましい。すなわち、着脱手段４として面ファスナーやスナップボタン等を、椅子本体２を上述のどちらの方向で固定する場合にも係着できるように配置しておけばよい。
【００４４】
このように、固定部３と椅子本体２とを着脱手段４によって係着及び分離可能とすることで、椅子本体２の長手方向を農作業者Ｐがしゃがんだときに左右方向となるようにも前後方向となるようにも係着することができる。これによって図６及び図９に示すように、農作業者Ｐがしゃがんだときに、農作業者Ｐの片膝を立てた状態にも両膝をついた状態にもすることができる。したがって、農作業者Ｐは、長時間にわたる農作業の中で姿勢を変えることができ、また、農作業の内容や農作業者Ｐの膝が悪い場合などに適切な姿勢をとることができるので、農作業者Ｐの作業負担を低減することができる。
【００４５】
さらに、本実施形態の椅子本体２は、例えば、図１０に示すように、複数の異なる高さの椅子本体２から選択することができるようにしてもよい。このようにすると、農作業の内容や農作業者Ｐの体型などの要素に応じて、椅子本体２の高さを簡単に変更することができるので、農作業者Ｐの作業負担を低減することができる。
【００４６】
また、本実施形態の椅子本体２は、例えば、図１１に示すように、高さ方向に積み重ねて固定可能であるとともに分離可能な複数のブロック１１から成るものであってもよい。すなわち、複数のブロック１１が例えば面ファスナなど固定手段１２で互いに固定されるものであってもよい。この場合、図１２に示すように、必要に応じて、椅子本体２を構成するブロック１１の数を増減させることにより、椅子本体２の高さを変更することができるので、きわめて簡単に、農作業の内容や農作業者Ｐの体型などの要素に応じて、椅子本体２の高さを簡単に変更することができ、農作業者Ｐの作業負担を低減することができる。
【００４７】
なお、複数のブロック１１で構成される椅子本体２は、上述のものに限定されず、例えば、図１３（Ａ）（Ｂ）に示すように、外袋１３と外袋１３内に収納される複数のブロック１１であってもよい。すなわち、外袋１３内に収納するブロック１１の数を増減することにより椅子本体２の高さを変更することができ、また外袋１３に着脱手段４としての面ファスナを固定することで、固定部３の臀部覆い５の面ファスナに着脱可能な構成であってもよい。また、図１３（Ｃ）に示すように、アリ継ぎ部１４が形成されていてもよい。各ブロック１１が互いに固定された状態と分離した状態とを変更することができるものであればよい。
【００４８】
また、本実施形態の椅子本体２の形状は、略直方体に限定されるものではない。例えば、図１４（Ａ）（Ｂ）に示すように、椅子本体２は、上面に着脱手段４が設けられる座面部１５と、座面部１５の下部に形成され座面部１５を支える脚部１６とを備える構成であり、脚部１６は、座面部１５よりも左右方向の幅が短く形成されるものであってもよい。このように構成すれば、図１５に示すように、農作業者Ｐは両膝を立ててしゃがんだ状態で座ることもでき、また、図１６に示すように、片膝を立てた状態や両膝をついた状態であっても、農作業者Ｐの膝をついて寝かせた脛を座面部１５の下で脚部１６の隣に配置できるので、両膝を立ててしゃがんだ状態、片膝を立てた状態、両膝をついた状態等のように異なる姿勢を楽にとることができ、例えば、作業によって姿勢を変えたい場合や長時間同じ姿勢をとりたくない場合などにも簡単に姿勢を変えることができる。
【００４９】
なお、図１４（Ａ）（Ｂ）の例では、座面部１５の下部に脚部１６が１つ形成される構成であるが、例えば図１４（Ｃ）（Ｄ）に示すように、座面部１５の下部に左右一対の脚部１６が形成されて座面部１５を支える形状であってもよい。
【００５０】
また、例えば、図１４（Ｅ）（Ｆ）に示すように、椅子本体２は、上面に着脱手段４が設けられる座面部１５と、座面部１５の下部に形成され座面部１５を支える脚部１６とを備えており、脚部１６は、左右方向に間隔を開けて２つの脚部１６が形成されるものであってもよい。なお、脚部１６の数は間隔を開けて３以上であってもよい。このように構成すれば、図１７に示すように、片膝をついた状態であっても、農作業者Ｐの膝をついて寝かせた脛を座面部１５の下で脚部１６の間に配置でき、両膝を立ててしゃがんだ状態、片膝を立てた状態、又は両膝をついた状態等のように異なる姿勢を楽にとることができ、例えば、作業によって姿勢を変えたい場合や長時間同じ姿勢をとりたくない場合などにも簡単に姿勢を変えることができる。
【００５１】
なお、本発明の農作業用椅子１の椅子本体２の形状は上述に例示したものに限定されるものではない。例えば椅子本体２は、前側が後側よりも幅狭でかつ側面にアールをつけた形状をしたものであっても良い。すなわち、図１８に示すように、椅子本体２の農作業者Ｐが腰掛けた際に前側となる部分１７が後側となる部分１８よりも幅狭に形成されており、後側となる部分１８の上面には、着脱手段４としての面ファスナーが設けられている。なお、ここで幅狭とは、椅子本体２に腰掛ける農作業者Ｐの左右方向となる長さが短いことをいう。また側面にアールをつけた形状とは後側となる部分１８から前側となる部分１７に向かって側面が窪むように湾曲していることをいう。
【００５２】
このように、椅子本体２が、前側となる部分１７が後側となる部分１８よりも幅狭に形成されるので、図２０に示すように、農作業者Ｐが腰掛けたときに農作業者Ｐの臀部は幅広の後側となる部分１８に腰掛けることができるとともに、前側となる部分１７が幅狭となることで太腿に当たることがなく、太腿が痛くなることなく比較的長時間座ったままで作業をすることができる。また、図１９に示すように、農作業者Ｐが立って移動する際にも椅子本体２が太腿の動きを邪魔することが無く、スムーズに移動することができる。また、前側となる部分１７が幅狭となることで、脛に当らない形で脚の間に椅子本体２を挟みこむことができ、椅子本体２に座った際に農作業者Ｐが安定することができる。また、図示しないが、例えば高さが１ｍ程度のトンネルの中で作業する場合のように四つん這いのような姿勢で作業する際にも椅子本体に体重をあずけることができ身体を安定させることができる。
【００５３】
また、椅子本体２は、図１８に示すように、水平面に載置したときに、上面が前方に向けて下り勾配の傾斜面となるように形成されていても良い。このように形成されると、農作業者Ｐが腰掛けたときに前傾姿勢となり、地面に向かって作業する際に楽な姿勢で作業をすることができ、農作業者Ｐの体重が椅子本体２に乗るので膝及び足首への負担を軽減することができる。また、椅子本体２への腰掛ける位置を前後に調整することで多少の高さ調整を簡単に行うことができる。
【００５４】
なお、椅子本体２の前側が後側よりも幅狭でかつ側面にアールをつけた形状をした農作業用椅子１は、図２０に示すように、片膝を立てた状態や両膝をついた状態であっても、椅子本体の前側が幅狭であるので、農作業者Ｐの脛が椅子本体の両側に脚を広げることなく配置できるので、片膝を立てた状態、や両膝をついた状態を楽にとることができる。
【００５５】
なお、椅子本体の形状は、上述のものに限られず、例えば図２１（Ａ）（Ｂ）に示すように、上面の一部が窪んで形成されていても良い。このような場合においても、椅子本体２を水平面に載置したときに、上面が前方に向けて下り勾配の傾斜面となるように形成されていても良い。具体的には図２１（Ｂ）に示すように、後側となる部分１８が前側となる部分１７よりも高くなっており、上面が全体として前方に下り勾配の傾斜が設けられていれば、上面の一部に昇り勾配となる部分があっても良い。
【００５６】
なお椅子本体２、前側が後側よりも幅狭でかつ側面にアールをつけた形状の椅子本体２の寸法は、例えば、水平面に載置したときに、最も高い位置の高さが１０ｃｍから２０ｃｍ程度で、左右方向に最も長い位置の幅が２６ｃｍから３０ｃｍ程度で、前後方向の長さが２５ｃｍから３０ｃｍ程度が好ましい。また、上方から見て前側の変曲点の位置での左右方向の幅と後側の変曲点の位置での左右方向の幅の比は、１：３程度であり、前側の変曲点における高さと後側の最も高い位置の高さの比は、１：３か１：４程度であることが好ましい。また椅子本体２の上面の一部が窪んで形成されている場合には、当該窪んだ部分よりも前側の最も高い位置の高さと、後側の最も高い位置の比は、１：３か１：４程度であることが好ましい。
【００５７】
さらに、幅の広い後側から大きく狭まる位置の曲率半径は７ｃｍから１０ｃｍが好ましい。これは、以下の人体寸法統計値に基づく太腿幅及び太腿厚から椅子本体２に座る農作業者Ｐの太腿に負担が少ない曲率半径とした。
【００５８】
人体寸法統計値における
大腿幅（モモ付け根近くの幅）60歳以下男女（平均±標準偏差）164±12mm（α）
大腿厚                      60歳以下男女（平均±標準偏差）174±16mm（β）
α及びβの平均                                        直径169±14mm
データが正規分布していることから全体の95%を網羅するための寸法範囲は、
平均±（標準偏差×２）から求められる。よって、
最小直径141mm、最大直径197mmで四捨五入して14〜20cmとなる。
最も農作業者Ｐの太腿にフィットする直径が14〜20cmであるので、曲率半径はその半分の7〜10cmとした。
【００５９】
なお、本発明の実施の形態は上述の形態に限ることなく、本発明の思想の範囲を逸脱しない範囲で適宜変更することができることは云うまでもない。
【産業上の利用可能性】
【００６０】
本発明に係る農作業用椅子１は、例えば、立て膝や両膝をつく姿勢又はしゃがむ作業をする場合や膝が悪い場合にも農作業者Ｐが長時間同じ姿勢をとらなくてよいように簡単に腰掛ける位置を調整できる農作業用椅子１として、好適に用いることができる。
【符号の説明】
【００６１】
１      農作業用椅子
２      椅子本体
３      固定部
４      着脱手段
５      臀部覆い
６      腰部ベルト
７      太腿ベルト
８      接合部
９      窪み
１０    面取り部
１１    ブロック
１２    固定手段
１３    外袋
１４    アリ継ぎ部
１５    座面部
１６    脚部
【図１】
2017170135.tif 000003
【図２】
2017170135.tif 000004
【図３】
2017170135.tif 000005
【図４】
2017170135.tif 000006
【図５】
2017170135.tif 000007
【図６】
2017170135.tif 000008
【図７】
2017170135.tif 000009
【図８】
2017170135.tif 000010
【図９】
2017170135.tif 000011
【図１０】
2017170135.tif 000012
【図１１】
2017170135.tif 000013
【図１２】
2017170135.tif 000014
【図１３】
2017170135.tif 000015
【図１４】
2017170135.tif 000016
【図１５】
2017170135.tif 000017
【図１６】
2017170135.tif 000018
【図１７】
2017170135.tif 000019
【図１８】
2017170135.tif 000020
【図１９】
2017170135.tif 000021
【図２０】
2017170135.tif 000022
【図２１】
2017170135.tif 000023